(57)【要約】  乾式壁スクリューガンマルチツール（１０）は、第１の端部上のスクリューガンと、反対側の端部上のカッター（６０）ツールと、を組み込む。乾式壁によってツールの向きを変えて、スクリューガンツールからカッター（６０）ツールに切り替えることができ、それによって、乾式壁の設置における時間及びお金を節約することができる。乾式壁スクリューガンマルチツール（１０）は、スクリューガン及びカッター（６０）の両方を回転させる電気モータ（５０）を備える。乾式壁スクリューガンマルチツール（１０）はまた、ツールのカッター端部（２６）から、フィルタ（８４）を通して空気を引き込むダスト捕集器組立体（８０）を含んでもよい。乾式壁スクリューガンマルチツール（１０）はまた、光の弱い状況で使用者を支援するライト３３と、スタッドファインダー（３９）と、を含んでもよい。カッター（６０）ツール及びダスト捕集器は、マルチツールのハウジング（２０）に、着脱可能に取付け可能でもよい。【選択図】図１
2019533582.tif 000002
【特許請求の範囲】
【請求項１】
乾式壁スクリューガンマルチツールであって、
ａ）マルチツールハウジングであって
ｉ）スクリューガン端部及び反対側のカッター端部と、
ｉｉ）ハンドルと、
ｉｉｉ）トリガーと、を備えるマルチツールハウジングと、
ｂ）回転する駆動軸を有するモータと、
ｃ）前記マルチツールハウジングの前記スクリューガン端部上に構成されるスクリューガン機能であって、
ｉ）前記モータの前記駆動軸と結合されて、乾式壁ネジを回転させるために前記乾式壁ネジと結合するスクリュー駆動カップリングを備えるスクリューガン機能と、
ｄ）前記マルチツールハウジングの前記カッター端部に取り付けられるカッター組立体であって、
ｉ）前記モータによって駆動されるカッター駆動カップリングと結合するカッターカップリングと、
ｉｉ）カッター組立体に着脱可能に取り付けられて、前記カッターカップリングによって駆動されるカッタービットと、を備えるカッター組立体と、
ｅ）ダスト捕集器組立体であって、
ｉ）前記カッター組立体からの空気の流れを受けるための捕集器入口と出口とを有する捕集器ハウジングに構成させたフィルタと、
ｉｉ）前記モータと結合されて、前記カッター組立体を過ぎた空気及びダストを捕集器入口及び前記フィルタを通して引き込み、前記出口から出すために回転するファンと、を備えるダスト捕集器組立体と、を備える乾式壁スクリューガンマルチツール。
【請求項２】
乾式壁ネジを供給して前記スクリュー駆動カップリングと係合させる、前記マルチツールハウジングに取り付けられた自動供給スクリュー組立体をさらに備える、請求項１に記載の乾式壁スクリューガンマルチツール。
【請求項３】
前記カッター組立体が、前記マルチツールハウジングに着脱可能に取付け可能であり、前記乾式壁スクリューガンマルチツールが、前記マルチツールハウジングの前記カッター端部に取り付けられていないときに、前記カッター組立体を前記マルチツールハウジングに保持するように構成されるカッターハウジングをさらに備える、請求項１に記載の乾式壁スクリューガンマルチツール。
【請求項４】
前記カッターハウジングが、前記マルチツールハウジングの前記ハンドルに構成される、請求項３に記載の乾式壁スクリューガンマルチツール。
【請求項５】
前記カッタービットが、前記カッター組立体に回転可能に接続され、使用しないときに、前記カッタービットを、前記マルチツールハウジングのベースの方へ下方に回転させることができる、請求項１に記載の乾式壁スクリューガンマルチツール。
【請求項６】
前記カッターカップリングが駆動面を有する、請求項２に記載の乾式壁スクリューガンマルチツール。
【請求項７】
前記カッターカップリングが、前記カッター駆動カップリングを受ける凹部である、請求項６に記載の乾式壁スクリューガンマルチツール。
【請求項８】
前記カッター駆動カップリングが、前記モータによって回転する前記駆動軸と結合される、請求項１に記載の乾式壁スクリューガンマルチツール。
【請求項９】
前記カッター駆動カップリングが、前記マルチツールハウジングの前記カッター端部から凹設される、請求項１に記載の乾式壁スクリューガンマルチツール。
【請求項１０】
前記駆動軸が、前記モータを通って、前記マルチツールハウジングの前記カッター端部の方へ、かつ、前記マルチツールハウジングの前記スクリューガン端部の方へ延在する、請求項１に記載の乾式壁スクリューガンマルチツール。
【請求項１１】
前記自動供給スクリュー組立体が、前記マルチツールハウジングに着脱可能に取付け可能である、請求項２に記載の乾式壁スクリューガンマルチツール。
【請求項１２】
前記ダスト捕集器組立体の前記捕集器ハウジングが、前記マルチツールハウジングに着脱可能に取付け可能である、請求項１に記載の乾式壁スクリューガンマルチツール。
【請求項１３】
前記モータから前記ファンを切り離す捕集器インタフェースをさらに備え、それによって、前記ファンが、前記マルチツールハウジングに空気を引き入れるために回転しない、請求項１に記載の乾式壁スクリューガンマルチツール。
【請求項１４】
前記捕集器インタフェースが、前記駆動軸の長さに沿って前記ファンを移動させて、前記駆動軸に結合された駆動ギヤから前記ファンを切り離す、請求項１３に記載の乾式壁スクリューガンマルチツール。
【請求項１５】
前記捕集器インタフェースが、前記ファンの回転を防ぐために、前記ファンに影響を与える、請求項１３に記載の乾式壁スクリューガンマルチツール。
【請求項１６】
前記スクリューガン端部に取り付けられたスタッドファインダーをさらに備える、請求項１に記載の乾式壁スクリューガンマルチツール。
【請求項１７】
ライトをさらに備える、請求項１に記載の乾式壁スクリューガンマルチツール。
【請求項１８】
前記ライトが、前記スクリューガン端部又は前記カッター端部の方へ光を照射するために回転する、請求項１７に記載の乾式壁スクリューガンマルチツール。
【請求項１９】
乾式壁スクリューガンマルチツールであって、
ａ）マルチツールハウジングであって、
ｉ）スクリューガン端部及び反対側のカッター端部と、
ｉｉ）ハンドルと、
ｉｉｉ）トリガーと、を備えるマルチツールハウジングと、
ｂ）回転する駆動軸を有するモータと、
ｃ）前記マルチツールハウジングの前記スクリューガン端部上に構成されるスクリューガン機能であって、
ｉ）前記モータの前記駆動軸と結合されて、乾式壁ネジを回転させるために前記乾式壁ネジと結合するスクリュー駆動カップリングを備えるスクリューガン機能と、
ｄ）前記マルチツールハウジングの前記カッター端部に取り付けられるカッター組立体であって、
ｉ）前記モータによって駆動されるカッター駆動カップリングと結合するカッターカップリングと、
ｉｉ）カッター組立体に着脱可能に取り付けられて、前記カッターカップリングによって駆動されるカッタービットと、を備えるカッター組立体と、
ｅ）前記マルチツールハウジングの前記カッター端部に取り付けられていないとき、前記カッター組立体を前記マルチツールハウジングに保持するように構成されるカッターハウジングと、
ｆ）ダスト捕集器組立体であって、
ｉ）前記マルチツールハウジングからの空気の流れを受けるための捕集器入口と出口とを有する捕集器ハウジングに構成させたフィルタと、
ｉｉ）前記モータと結合されて、前記カッタービットを過ぎた空気及びダストを捕集器入口及び前記フィルタを通して引き込み、前記出口から出すために回転するファンと、を備えるダスト捕集器組立体と、を備え、
前記カッター組立体が、前記マルチツールハウジングに着脱可能に取付け可能であり、
前記ダスト捕集器組立体の前記捕集器ハウジングが、前記マルチツールハウジングに着脱可能に取付け可能である、乾式壁スクリューガンマルチツール。
【請求項２０】
乾式壁ネジを供給して前記スクリュー駆動カップリングと係合させる、前記マルチツールハウジングに取り付けられた自動供給スクリュー組立体をさらに備え、前記自動供給スクリュー組立体が、前記マルチツールハウジングに着脱可能に取付け可能である、請求項１７に記載の乾式壁スクリューガンマルチツール。
【請求項２１】
前記カッターカップリングが駆動面を有する、請求項１９に記載の乾式壁スクリューガンマルチツール。
【請求項２２】
前記カッターカップリングが、前記カッター駆動カップリングを受ける凹部である、請求項２１に記載の乾式壁スクリューガンマルチツール。
【請求項２３】
前記カッター駆動カップリングが、前記モータによって回転する前記駆動軸と結合される、請求項１９に記載の乾式壁スクリューガンマルチツール。
【請求項２４】
前記カッター駆動カップリングが、前記マルチツールハウジングの前記カッター端部から凹設される、請求項１９に記載の乾式壁スクリューガンマルチツール。
【請求項２５】
前記駆動軸が、前記モータを通って、前記マルチツールハウジングの前記カッター端部の方へ、かつ、前記マルチツールハウジングの前記スクリューガン端部の方へ延在する、請求項１９に記載の乾式壁スクリューガンマルチツール。
【請求項２６】
前記モータから前記ファンを切り離す捕集器インタフェースをさらに備え、それによって、前記ファンが、前記マルチツールハウジングに空気を引き入れるために回転しない、請求項１９に記載の乾式壁スクリューガンマルチツール。
【請求項２７】
前記捕集器インタフェースが、前記駆動軸の長さに沿って前記ファンを移動させて、前記駆動軸に結合された駆動ギヤから前記ファンを切り離す、請求項２６に記載の乾式壁スクリューガンマルチツール。
【請求項２８】
前記捕集器インタフェースが、前記ファンの回転を防ぐために、前記ファンに影響を与える、請求項２６に記載の乾式壁スクリューガンマルチツール。
【請求項２９】
前記スクリューガン端部に取り付けられたスタッドファインダーをさらに備える、請求項１９に記載の乾式壁スクリューガンマルチツール。
【発明の詳細な説明】
【技術分野】
【０００１】
[0001]  本出願は、２０１６年１０月３１日に出願されたMultitool Drillと題される、米国仮特許出願第６２／４１５，０７１号の優先権の利益を主張し、その全体が参照により本明細書に組み込まれる。
【０００２】
[0002]  本発明は、乾式壁スクリューガンマルチツールに関し、特に、カッターとダスト捕集器とを有する乾式壁スクリューガンに関する。
【背景技術】
【０００３】
[0003]  乾式壁の大きなシートは、所定の位置に保持され、隣接するシートとの位置合わせ又は適切な位置への適合が行われ、そして、釘又はネジで固定されるので、乾式壁の取付けは難しい。使用者が、単に乾式壁に対して頭部を押しつけてトリガーを引くことによって、ネジを挿入することができるように、自動的にネジを適切な位置に移動させる乾式壁スクリューガンが開発されている。これらのツールは通常、ネジが適切な深さに挿入されると、ツールを解放するクラッチを有する。多くの場合、乾式壁は、照明設備、吹出口、又は通気孔のための穴などを切断しなければならない。これは、乾式壁スクリューガンを置いて、切断ツールを配置して、乾式壁を切断することを乾式壁の設置者に要求する。ツールのこの切替えは時間がかかり、使用者には厄介であり、特に、乾式壁を所定の位置に保持しているとき、又は、はしご上で作業をしているときにそうである。さらに、乾式壁の切断は、使用者の顔にかかり、眼に入る可能性がある多くのダストを発生させ、特に、天井の乾式壁を切断するときにそうなる。
【発明の概要】
【０００４】
[0004]  本発明は、ツールの第１の端部上のスクリューガンと、反対側の端部上のカッターツールとを備える乾式壁スクリューガンマルチツールに関する。乾式壁の設置者は、スクリューガンツールからカッターツールに切り替えるために、単にツールの向きを変えなければならないだけであり、それによって、乾式壁の設置における時間及びお金を節約することができる。例示的な実施形態において、乾式壁スクリューガンマルチツールは、作動のために単一のモータに結合されるスクリューガン及びカッターの両方を回転させる電気モータを備える。例示的な乾式壁スクリューガンマルチツールは、ツールのカッター端部から、フィルタを通して空気を引き込むダスト捕集器組立体を備えてもよい。例示的な乾式壁スクリューガンマルチツールは、窮屈な状態又は薄暗い部屋などの光の弱い状況で使用者を支援するライトを備えてもよい。例示的な乾式壁スクリューガンマルチツールは、スクリューガンヘッドがスタッド上に配置されたときに、それを示すスタッドファインダーを備えてもよい。例示的なスタッドファインダーは、スクリューガンヘッドをスタッド上に正確に位置付けるときに照らしてもよい。カッターツール及びダスト捕集器は、乾式壁スクリューガンマルチツールのハウジングに、着脱可能に取付け可能でもよい。
【０００５】
[0005]  例示的な乾式壁スクリューガンマルチツールは、電池などの電源によって、又は、ツールに結合された電源コードによって電力を供給される電気モータを備える。電気モータは、スクリューガン及びカッターツールの両方を回転させる。例示的な実施形態において、電気モータは、モータを通って延在して、駆動軸の一方側の端部上のスクリューガンツール及び反対側の端部上のカッターツールと結合される単一の駆動軸を回転させる。自動供給スクリュー組立体は、乾式壁スクリューガンマルチツールに着脱可能に取付け可能でもよく、ツールのスクリューガン部分にネジを供給して、ネジをスクリュー駆動カップリングと整列させる。使用者は、単に、ツールのスクリューガン端部を乾式壁に対して押しつけて、ネジを乾式壁内に進めるためにトリガーを押さなければならないだけでもよい。適切な深さまで挿入したとき、ツールは、たとえばクラッチによって、自動的にネジを切り離してもよい。次いで、新しいネジが、適切な位置に自動的に移動されてもよい。
【０００６】
[0006]  例示的なカッターは、乾式壁スクリューガンマルチツールのスクリューガンとは反対側の端部上に構成されて、乾式壁スクリューガンマルチツールに着脱可能に取付け可能であるカッター組立体に構成されてもよい。カッターは、ルータ軸及び／又はカッタービットを受けるように構成されてもよい。ルータ軸及び／又はカッタービットは、着脱可能に取付け可能でもよく、使用者がスクリューガンツールを使用しているときは、しまい込まれる位置に回転するように構成されてもよい。例えば、ルータ軸及び／又はカッタービットはツールのベースの方へ下方に回転してもよく、ハウジング又はカッター組立体内の凹部に少なくとも部分的に格納されてもよい。任意選択的に、ルータ軸及び／又はカッタービットは、ルータ軸及び／又はカッタービットからカッター駆動カップリングまで伸びる屈曲ワイヤなどの屈曲ワイヤによって、乾式壁スクリューガンマルチツールに結合される。カッタービットは、タイビット（tie bit）及び任意選択的にナットによって、ツール、たとえばルータ軸に取り付けられてもよい。ルータ軸又はカッター駆動カップリングの一部は、カッターをツールに固定するナットを受けるためにねじ切られてもよい。
【０００７】
[0007]  例示的な乾式壁スクリューガンマルチツールは、マルチツールに着脱可能に取付け可能であるダスト捕集器組立体に構成されてもよいダスト捕集器を備える。ファンは、電気モータによって駆動されて、ツールのカッター端部からダスト捕集器に空気を引き込んでもよい。カッターツールからの乾式壁ダストを含有する空気は、捕集器に引き込まれて、１つ又は複数のフィルタを通り、出口から押し出されてもよい。捕集部分は、除去のためにデブリを捕集してもよい。例示的な捕集器ハウジングは、開けられるように構成されて、洗浄又は交換のために、かつ、捕集部分からデブリを取り出すために、フィルタの除去を可能とする。窓を、捕集器ハウジングに構成して、デブリが捕集部分にどれだけあるかを使用者が確認できるようにしてもよい。ボタン又はレバーなどの捕集器インタフェースにより、使用者がカッターツールを使用していないときに、使用者がファンを取り外すことを可能にしてもよい。例示的な実施形態において、カッター組立体がツールに取り付けられたとき、又は、カッターツールがしまい込まれた位置から回転して出てくるときに、ファンは自動的に係合される。しかしながら、使用者は捕集器インタフェースを使用して、ファンを取り外してもよい。
【０００８】
[0008]  例示的な乾式壁スクリューガンマルチツールは、スクリューガン端部又はカッター端部などのツールの作動している端部の方へ光を照射できるライトを備える。ライトは、ライトが照射している端部を使用者が切り替えることができるように旋回してもよい。ライトは、ダスト捕集器組立体上に構成されてもよく、又は、直接、ハウジングに構成されてもよい。
【０００９】
[0009]  本発明の概要は、本発明の実施形態のいくつかに対する概略的な紹介として提供され、限定することを意図しない。本発明の変形例及び代替的な構成を含むさらなる例示的な実施形態が、本明細書で提供される。
【００１０】
[0010]  添付図面は、本発明のさらなる理解を提供するために含まれ、本明細書に組み込まれて、本明細書の一部を構成し、本発明の実施形態を図示し、説明とともに、本発明の原理を説明する役割を果たす。
【図面の簡単な説明】
【００１１】
【図１】スクリューガン端部上の自動供給スクリュー組立体と、カッター端部に取り付けられるカッター組立体と、マルチツールの頂部に構成される捕集器ハウジングとを備える例示的な乾式壁スクリューガンマルチツールの斜視図を示す。
【図２】自動供給スクリュー組立体、カッター組立体、及び捕集器ハウジングが取り外された、例示的な乾式壁スクリューガンマルチツールの斜視図を示す。
【図３】例示的な乾式壁スクリューガンマルチツールのスクリューガン端部の図を示す。
【図４】例示的な乾式壁スクリューガンマルチツールのカッター端部の図を示す。
【図５】カッター組立体を取り外した、例示的な乾式壁スクリューガンマルチツールのカッター端部の図を示す。
【図６】例示的な乾式壁スクリューガンマルチツールの側面図を示す。
【図７】捕集器ハウジングをマルチツールハウジングの一方側に回転させた、例示的な乾式壁スクリューガンマルチツールの側面図を示す。
【図８】例示的な乾式壁スクリューガンマルチツールの上面図を示す。
【図９】例示的な乾式壁スクリューガンマルチツールの底面図を示す。
【図１０】駆動モータ及び駆動軸、ならびにさまざまな組立体とのカップリングを示す、例示的な乾式壁スクリューガンマルチツールの側面図を示す。
【図１１】スクリュー駆動カップリング、カッター駆動カップリング、及びファンカップリングと結合された、例示的な駆動モータ及び駆動軸の側面図を示す。
【図１２】スクリュー駆動カップリング、カッター駆動カップリング、及びファンカップリングと結合され、ファンがファンカップリングから取り外された、例示的な駆動モータ及び駆動軸の側面図を示す。
【図１３】カッター組立体にファンを含む、例示的なカッター組立体及びダスト捕集器組立体の側面図を示す。
【図１４】フィルタ及び捕集部分を示すために開けられた、例示的な捕集器ハウジングを示す。
【図１５】カッターがツールのベースの方へ下方に回転した、例示的な乾式壁スクリューガンマルチツールを示す。
【図１６】ルータ軸及びカッタービットを受けるための開口を有するカッター組立体の拡大図を示す。
【発明を実施するための形態】
【００１２】
[0027]  対応する参照文字は、図面のいくつかの図を通して、対応する部品を示す。図面は、本発明の実施形態のいくつかの説明を表し、いかなる方法でも本発明の範囲を限定するものとは解釈すべきではない。さらに、図面は必ずしも原寸に比例したものではなく、いくつかの特徴は、特定の構成要素の詳細を示すために誇張されてもよい。したがって、本明細書で開示される特定の構造及び機能上の細部は、限定するものではなく、単に、本発明をさまざまに使用する当業者に教示するための典型的な基本として解釈すべきである。
【００１３】
[0028]  本明細書で使用される場合、用語「備える（comprises）」、「備える（comprising）」、「含む（includes）」、「含む（including）」、「有する（has）」、「有する（having）」、又は、その任意の他の変形例は、非排他的包含を対象とすることが意図される。たとえば、要素のリストを備えるプロセス、方法、物品、又は機器は、必ずしもそれらの要素のみに限定されるわけではないが、明確にリストされていない、又は、このようなプロセス、方法、物品、若しくは機器に固有の他の要素を含んでもよい。また、「１つの（a）」又は「１つの（an）」の使用は、本明細書に記載される要素及び構成要素を記述するために採用される。これは単に、便宜上、及び、本発明の範囲の一般的意味を与えるために行われているにすぎない。この記述は、１つ又は少なくとも１つを含むように読むべきであり、それが別のものを意味することが明らかでない限り、単数は複数も含む。
【００１４】
[0029]  本発明の特定の例示的な実施形態が、本明細書に記述されて、添付図面に示される。記述される実施形態は、単に本発明を説明するためのものであり、本発明の範囲を限定するものと解釈すべきではない。本発明の他の実施形態、ならびに、記述された実施形態の特定の修正、組合せ、及び改良を、当業者は思いつくであろう。そのような代替の実施形態、組合せ、修正、改良はすべて本発明の範囲内である。
【００１５】
[0030]  図１に示されるように、例示的な乾式壁スクリューガンマルチツール１０は、マルチツールハウジング２０のスクリューガン端部２４上に自動供給スクリュー組立体４４を含んでもよいスクリューガン機能４０と、カッター端部２６に取り付けられるカッター組立体６０と、マルチツールの頂部で構成される捕集器ハウジング８３を含んでもよいダスト捕集器組立体８０と、を備える。捕集器ハウジング８３は、捕集器出口８２と、乾式壁ダストをその中に保持するための捕集部分８７と、を有する。捕集器ハウジングは、マルチツールハウジング２０に着脱可能に取付け可能でもよい。同様に、カッター組立体６０は、着脱可能に取付け可能でもよく、ハンドル２２に構成されるカッターハウジング７０に格納されてもよい。カッター組立体は、例えば、照明設備のための穴など、乾式壁の切断を可能にするように回転するカッタービット６２を備える。例示的な乾式壁スクリューガンマルチツール１０はまた、ベース２９と、乾式壁スクリューガンマルチツール１０のさまざまな機能を作動させる駆動モータ５０を起動するためのトリガー３０と、を備える。
【００１６】
[0031]  図７に示されるように、捕集器ハウジング８３は、マルチツールハウジング２０のまわりを、マルチツールハウジング２０の側部２１まで回転する。捕集器ハウジングは、所定の位置に調整可能でもよく、そのため、使用者は、頂部又は側部のどちらかにあるように、捕集器ハウジング８３の位置を調整することができる。捕集器ハウジング８３の位置を調整可能とすることにより、捕集器ハウジング８３が乾式壁スクリューガンマルチツール１０の位置決めを妨げることなく、乾式壁スクリューガンマルチツール１０を、隅部で、及び、壁に対して使用することを可能にしてもよい。いくつかの実施形態において、カッター組立体６０は円形で、捕集器入口を含み、マルチツールハウジング２０に対して回転させることができる。
【００１７】
[0032]  図２に示されるように、カッター組立体６０は、マルチツールハウジング２０から取り外される。また、捕集器ハウジング８３も取り外される。また、自動供給スクリュー組立体４４も取り外される。スクリュー駆動カップリング４２は、乾式壁内にネジを進めるために、ネジ頭と結合する。
【００１８】
[0033]  図３〜図９を参照すると、例示的な乾式壁スクリューガンマルチツール１０は、マルチツールハウジング２０のスクリューガン端部２４上の自動供給スクリュー組立体４４と、カッター端部２６に取り付けられるカッター組立体６０と、マルチツールの頂部上に構成される捕集器ハウジング８３と、を備える。捕集器ハウジング８３は、捕集器出口８２と、乾式壁ダストをその中に保持するための捕集部分８７と、を有する。捕集器ハウジング８３は、マルチツールハウジング２０に着脱可能に取付け可能でもよい。同様に、カッター組立体６０は、着脱可能に取付け可能でもよく、ハンドル２２に構成されるカッターハウジング７０に格納されてもよい。カッター組立体は、例えば、照明設備のための穴など、乾式壁の切断を可能にするように回転するカッタービット６２を備える。例示的な乾式壁スクリューガンマルチツール１０はまた、ベース２９と、乾式壁スクリューガンマルチツール１０のさまざまな機能を作動させる駆動モータを起動するためのトリガー３０と、を備える。図５に示されるように、カッター組立体６０は、マルチツールのカッター駆動カップリング６６と係合するカッターカップリング６５を有する。カッターカップリング６５は、カッター駆動カップリングの凹部に挿入される突起でもよい。突起及び凹部は、非円形の形状でもよく、１つ又は複数の駆動面、すなわちトルクを発生させる表面を有する。カッター駆動カップリング６６が突起でもよく、かつ、カッターカップリングが凹部でもよい。カッターカップリング６５の駆動面６７及びカッター駆動カップリング６６の駆動面６８は、円形ではない形状を形成してもよく、たとえば、図５に示されるように、駆動面は、長方形又は星形又は十字形の断面を形成してもよい。
【００１９】
[0034]  図１０に示されるように、例示的な乾式壁スクリューガンマルチツール１０は、マルチツールのさまざまな機能のための仕事を生み出す駆動モータ５０及び駆動軸５２を有する。駆動軸５２は、駆動モータ５０から延在し、スクリュー駆動カップリング４２を回転させて、乾式壁ネジ５５を乾式壁内に進める。自動供給スクリュー組立体４４は、連続的にネジを引っ張り、スクリュー駆動カップリング４２と係合させる。一連のネジはコネクタに結合され、自動供給スクリュー組立体は、ネジのこのリボンを移動させて、スクリュー駆動カップリング４２との結合のために所定の位置にネジを配置する。自動供給スクリュー組立体４４はまた、例えば、直接駆動軸５２に、又は、スクリュー駆動カップリング４２と結合される自動供給カップリング４５を通して、駆動モータに結合される。クラッチ４８は、乾式壁ネジ５５が乾式壁内に進められたあとに、スクリュー駆動カップリング４２を乾式壁ネジ５５から切り離すように構成されてもよい。駆動モータ５０は、ファン８８カップリング９５を通して、ファン８８も駆動する。捕集器インタフェース８９は、ファン８８が回転しないように、ファン８８をファンカップリング９５から切り離すために使用されてもよい。ファン８８が係合されると、空気は、太い矢印で示されるように、カッター組立体６０を過ぎて、ダスト捕集器組立体８０に引き込まれる。ダスト捕集器組立体は、１つ又は複数のフィルタ８４及び捕集部分８７を含んでもよい。空気は、捕集器出口８２を通って流れ出てもよい。駆動モータ５０はまた、本明細書で説明されるように、カッターカップリング６５を通してカッタービット６２を駆動してもよい。
【００２０】
[0035]  乾式壁スクリューガンマルチツール１０は、カッタービットが駆動軸５２に係合されているとき、駆動軸５２のカッター端部２６がモータとともに回転することを可能にし、カッタービット６２が駆動軸５２に係合されているとき、駆動軸５２のスクリュー端部を切り離す係合スイッチを含んでもよい。係合スイッチは、ツールの一方側のみを一度に使用することができるように、乾式壁スクリューガンマルチツールを使用することを可能にしてもよい。
【００２１】
[0036]  図１１及び図１２に示されるように、例示的な駆動アセンブリ５１は、モータ５０の両側から延在する駆動軸５２、５２’を駆動するモータ５０を備える。本明細書で説明されるように、駆動軸５２は、モータを貫通する連続的な軸でもよい。スクリュー駆動カップリング４２は、駆動軸のスクリューガン端部２４上に構成され、カッター駆動カップリング６６は、駆動軸５２の反対側のカッター端部上に構成される。いくつかの実施形態において、カッター駆動カップリングは、ゆったりとした衣類に係合する可能性がある外へは延在しない。ファン８８は、図１１に示されるように、捕集器カップリング９５によって駆動軸５２に結合され、図１２に示されるように、捕集器カップリング９５から切り離される又は分離される。使用者は、図１０に示されるように、捕集器インタフェース８９を使用して、要望通り、ダスト捕集器ファンを係合及び切り離してもよい。
【００２２】
[0037]  図１３に示されるように、カッター６０は、いくつかの実施形態において、カッタービット６２と、カッタービット６２に取り付けられたファン８８と、を含む。カッタービット６２は軸受面を含んでもよく、ファン８８は、ファン８８がカッタービット６２とは独立して回転することを可能にする軸受を含んでもよい。カッタービット６２がモータ５０によって回転するとき、ファン軸受とカッタービット６２の軸受面との間の摩擦は、最終的にファン８８に空気の回転及び引き込みをさせて、太い矢印で示すような空気流を作成する。空気流は、カッタービット６２の傍を通り、ファン８８を通過し、ダスト捕集器組立体８０の捕集器入口８１に入る。ダストは、空気が捕集器出口８２でダスト捕集器組立体８０を出る前に、フィルタ８４及び捕集部分８７によって捕捉されてもよい。
【００２３】
[0038]  図１４に示されるように、ダスト捕集器組立体８０は、フィルタエレメント８４、８４’を暴露、及び除去、交換又は清掃するリリース機能８６の操作によって開けることができるハウジング８３を備える。ハウジングは、第１の部分８３と第２の部分８３’とを有する。捕集器入口８１は、空気流がダスト捕集器ハウジングに流れ込むことを可能にする。捕集部分８７は、乾式壁ダストなどのダストを捕集してもよく、窓８５は、捕集部分８７を空にする必要があるときを判断するために使用されてもよい。空気流は、捕集器入口８１から、フィルタ８４を通って、捕集部分８７に流れ込んで、捕集器出口８２から流れ出てもよい。
【００２４】
[0039]  図１５に示されるように、例示的な乾式壁スクリューガンマルチツール１０は、カッタービットがツールのベース２９の方へ下方に回転するように構成される。カッター組立体は回転してもよく、又は、カッタービット及び／若しくはルータ軸は、下方に回転させて、あまり目立たない位置にビットを配置してもよい。いくつかの実施形態において、カッタービット６２が下方に回転するとき、カッタービット６２が回転しないように、カッタービット６２はモータから切り離される。カッター６０を下の位置に回転させることにより、スクリューガン機能４０の係合を可能にしてもよく、カッター６０を使用することができる位置に回転させることにより、スクリューガン機能４０を切り離してもよい。ツールのカッター端部２６から延在するカッタービットは、ツールのスクリューガン部分を使用しているとき、使用者には扱いにくい場合がある。カッター組立体６１は、図２に示されるように、同様にツールから取り外し可能でもよい。
【００２５】
[0040]  図１６に示されるように、カッタービット６２は、カッター組立体６１のハウジング内の開口６９内に格納される。ルータ軸１９２は、軸受１９１又は、モータ駆動軸から延在してもよいカッター駆動カップリング６６に結合される。カッタービットは、タイビット１９６及びナット１９７によってルータ軸に結合されてもよく、カッタービットは、ルータビット内に延在する。ルータビットの一部は、ネジ付き端部２００を含んでもよい。カッタービット及びルータ軸は、屈曲ワイヤ１９４によってカッター駆動カップリングに結合されて、カッタービットを開口６９内に格納することを可能にしてもよい。軸ロック１９９は、カッター駆動カップリング６６にルータ軸を固定するために使用されてもよい。
【００２６】
[0041]  図１６は、ルータ軸１９２’、ネジ付き端部２００’、及びカッタービット６２’による例示的な分解図を示す。いくつかの実施形態において、タイビット１９６は、ルータ軸１９２’の内側に置かれ、次いで、カッタービット６２’は、タイビットの内側に置かれる。ナット１９７は、カッタービット６２’上を摺動する、又は、カッタービット６２’は、ナット及びタイビットに挿入される。そして、それらはルータ軸１９２’に固定され、それによって、タイビット１９６はカッタービット６２’を固定する。
【００２７】
[0042]  例示的な乾式壁スクリューガンマルチツールは、スクリューガン端部がスタッド上に位置付けられたときに、使用者に対して注意を喚起するスタッドファインダー３９を備える。スタッド上にあるとき、スタッドファインダーはそれを知らせる光又は音を発してもよい。さらに、スタッドファインダー３９は、旋回又は回転して、カッターツールを使用するときに、使用者がスタッド位置を確認できるようにしてもよい。スタッドファインダー３９は、スタッドを配置するために、音波又は任意の従来の手段を利用してもよい。いくつかの実施形態において、ライト３３は、スタッドファインダー３９とともに取り付けられてもよく、ライト３３及びスタッドファインダー３９は、スクリューガン端部２４又はカッター端部２６のいずれかの方を向くために一緒に回転してもよい。他の実施形態において、スタッドファインダー３９及びライト３３は、別々の構成要素上にあってもよく、ライト３３は、スタッドファインダー３９から独立して回転してもよい。
【００２８】
[0043]  例示的な乾式壁スクリューガンマルチツールは、１つ又は複数の、ＬＥＤ（発光ダイオード）ライトなどのライト３３を含んでもよい。ＬＥＤライト３３は、スクリューガン端部２４、カッター端部２６、捕集器出口８２、ハウジング２０、又は乾式壁スクリューガンマルチツール上の他の場所を含む複数の位置に置かれてもよい。ライト３３は、ＬＥＤ、白熱ランプ、又は他の種類のライトでもよい。いくつかの実施形態において、ＬＥＤライトは、使用電力が小さいという利点を提供し、システムが電源３６として電池を使用して作動しているときに電池の寿命を延ばす。
【００２９】
[0044]  いくつかの実施形態において、スタッドファインダー３９は、スタッドが壁上にある壁で示すレーザを含んでもよい。スタッドファインダー３９は、スクリューガン端部２４上及びハウジング２０上を含む乾式壁スクリューガンマルチツール上の、１つ又は複数の位置に配置されてもよい。
【００３０】
[0045]  さまざまな修正、組合せ、及び変形を本発明の範囲から逸脱することなく本発明で行うことができることは、当業者にとって明らかであろう。本明細書に記載の特定の実施形態、機能、及び要素は、修正されてもよく、かつ／又は、任意の好適な方法で組み合わされてもよい。よって、本発明の修正、組合せ、及び変形が添付の特許請求の範囲及びそれらの等価物の範囲内にある限り、本発明は、本発明の修正、組合せ、及び変形を包含することが意図されている。
【図１】
2019533582.tif 000003
【図２】
2019533582.tif 000004
【図３】
2019533582.tif 000005
【図４】
2019533582.tif 000006
【図５】
2019533582.tif 000007
【図６】
2019533582.tif 000008
【図７】
2019533582.tif 000009
【図８】
2019533582.tif 000010
【図９】
2019533582.tif 000011
【図１０】
2019533582.tif 000012
【図１１】
2019533582.tif 000013
【図１２】
2019533582.tif 000014
【図１３】
2019533582.tif 000015
【図１４】
2019533582.tif 000016
【図１５】
2019533582.tif 000017
【図１６】
2019533582.tif 000018
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
スクリューガンマルチツールであって、
ａ）マルチツールハウジングであって、
ｉ）スクリューガン端部及び反対側のカッター端部と、
ｉｉ）ハンドルと、
ｉｉｉ）トリガーと、を備えるマルチツールハウジングと、
ｂ）回転する駆動軸を有するモータと、
ｃ）前記マルチツールハウジングの前記スクリューガン端部上に構成されるスクリューガン機能であって、
ｉ）前記モータの前記駆動軸と結合されて、ネジを回転させるために前記ネジと結合するスクリュー駆動カップリングを備えるスクリューガン機能と、
ｄ）前記マルチツールハウジングの前記反対側のカッター端部に取り付けられるカッター組立体であって、
ｉ）前記モータによって駆動されるカッター駆動カップリングと結合するカッターカップリングと、
ｉｉ）カッター組立体に着脱可能に取り付けられて、前記カッターカップリングによって駆動されるカッタービットと、を備えるカッター組立体と、を備えるスクリューガンマルチツール。
【請求項２】
ネジを供給して前記スクリュー駆動カップリングと係合させる、前記マルチツールハウジングに取り付けられた自動供給スクリュー組立体をさらに備える、請求項１に記載のスクリューガンマルチツール。
【請求項３】
前記カッター組立体が、前記マルチツールハウジングに着脱可能に取付け可能であり、前記スクリューガンマルチツールが、前記マルチツールハウジングの前記反対側のカッター端部に取り付けられていないときに、前記カッター組立体を前記マルチツールハウジングに保持するように構成されるカッターハウジングをさらに備える、請求項１に記載のスクリューガンマルチツール。
【請求項４】
前記カッターハウジングが、前記マルチツールハウジングの前記ハンドルに構成される、請求項３に記載のスクリューガンマルチツール。
【請求項５】
前記カッタービットが、前記カッター組立体と回転可能に接続され、使用しないときに、前記カッタービットを、前記マルチツールハウジングのベースの方へ下方に回転させることができる、請求項１に記載のスクリューガンマルチツール。
【請求項６】
ｅ）ダスト捕集器組立体であって、
ｉ）前記カッター組立体からの空気の流れを受けるための捕集器入口と出口とを有する捕集器ハウジングに構成させたフィルタと、
ｉｉ）前記モータと結合されて、カッター組立体を過ぎた空気及びダストを捕集器入口及び前記フィルタを通して引き込み、前記出口から出すために回転するファンと、を備えるダスト捕集器組立体をさらに備える、請求項１に記載のスクリューガンマルチツール。
【請求項７】
前記カッターカップリングが、前記カッター駆動カップリングを受ける凹部である、請求項６に記載のスクリューガンマルチツール。
【請求項８】
前記カッター駆動カップリングが、前記モータによって回転する前記駆動軸と結合される、請求項１に記載のスクリューガンマルチツール。
【請求項９】
前記カッター駆動カップリングが、前記マルチツールハウジングの前記反対側のカッター端部から凹設される、請求項１に記載のスクリューガンマルチツール。
【請求項１０】
前記駆動軸が、前記モータを通って、前記マルチツールハウジングの前記反対側のカッター端部の方へ、かつ、前記マルチツールハウジングの前記スクリューガン端部の方へ延在する、請求項１に記載のスクリューガンマルチツール。
【請求項１１】
前記自動供給スクリュー組立体が、前記マルチツールハウジングに着脱可能に取付け可能である、請求項２に記載のスクリューガンマルチツール。
【請求項１２】
前記ダスト捕集器組立体の前記捕集器ハウジングが、前記マルチツールハウジングに着脱可能に取付け可能である、請求項６に記載のスクリューガンマルチツール。
【請求項１３】
前記モータから前記ファンを切り離す捕集器インタフェースをさらに備え、それによって、前記ファンが、前記マルチツールハウジングに空気を引き入れるために回転しない、請求項６に記載のスクリューガンマルチツール。
【請求項１４】
前記捕集器インタフェースが、前記駆動軸の長さに沿って前記ファンを移動させて、前記駆動軸に結合された駆動ギヤから前記ファンを切り離す、請求項１３に記載のスクリューガンマルチツール。
【請求項１５】
前記捕集器インタフェースが、前記ファンの回転を防ぐために、前記ファンに影響を与える、請求項１３に記載のスクリューガンマルチツール。
【請求項１６】
前記スクリューガン端部に取り付けられたスタッドファインダーをさらに備える、請求項１に記載のスクリューガンマルチツール。
【請求項１７】
ライトをさらに備える、請求項１に記載のスクリューガンマルチツール。
【請求項１８】
前記ライトが、前記スクリューガン端部又は前記反対側のカッター端部の方へ光を照射するために回転する、請求項１７に記載のスクリューガンマルチツール。
【請求項１９】
スクリューガンマルチツールであって、
ａ）マルチツールハウジングであって、
ｉ）スクリューガン端部及び反対側のカッター端部と、
ｉｉ）ハンドルと、
ｉｉｉ）トリガーと、を備えるマルチツールハウジングと、
ｂ）回転する駆動軸を有するモータと、
ｃ）前記マルチツールハウジングの前記スクリューガン端部上に構成されるスクリューガン機能であって、
ｉ）前記モータの前記駆動軸と結合されて、ネジを回転させるために前記ネジと結合するスクリュー駆動カップリングを備えるスクリューガン機能と、
ｄ）前記マルチツールハウジングの前記反対側のカッター端部に取り付けられるカッター組立体であって、
ｉ）前記モータによって駆動されるカッター駆動カップリングと結合するカッターカップリングと、
ｉｉ）カッター組立体に着脱可能に取り付けられて、前記カッターカップリングによって駆動されるカッタービットと、を備えるカッター組立体と、
ｅ）前記マルチツールハウジングの前記反対側のカッター端部に取り付けられていないとき、前記カッター組立体を前記マルチツールハウジングに保持するように構成されるカッターハウジングと、を備えるスクリューガンマルチツール。
【請求項２０】
ネジを供給して前記スクリュー駆動カップリングと係合させる、前記マルチツールハウジングに取り付けられた自動供給スクリュー組立体をさらに備え、前記自動供給スクリュー組立体が、前記マルチツールハウジングに着脱可能に取付け可能である、請求項１９に記載のスクリューガンマルチツール。
【請求項２１】
ｆ）ダスト捕集器組立体であって、
ｉ）前記マルチツールハウジングからの空気の流れを受けるための捕集器入口と出口とを有する捕集器ハウジングに構成させたフィルタと、
ｉｉ）前記モータと結合されて、前記カッタービットを過ぎた空気及びダストを捕集器入口及び前記フィルタを通して引き込み、前記出口から出すために回転するファンと、を備える、ダスト捕集器組立体をさらに備え、
前記カッター組立体が、前記マルチツールハウジングに着脱可能に取付け可能であり、
前記ダスト捕集器組立体の前記捕集器ハウジングが、前記マルチツールハウジングに着脱可能に取付け可能である、請求項１９に記載のスクリューガンマルチツール。
【請求項２２】
前記カッターカップリングが、前記カッター駆動カップリングを受ける凹部である、請求項１９に記載のスクリューガンマルチツール。
【請求項２３】
前記カッター駆動カップリングが、前記モータによって回転する前記駆動軸と結合される、請求項１９に記載のスクリューガンマルチツール。
【請求項２４】
前記カッター駆動カップリングが、前記マルチツールハウジングの前記反対側のカッター端部から凹設される、請求項１９に記載のスクリューガンマルチツール。
【請求項２５】
前記駆動軸が、前記モータを通って、前記マルチツールハウジングの前記反対側のカッター端部の方へ、かつ、前記マルチツールハウジングの前記スクリューガン端部の方へ延在する、請求項１９に記載のスクリューガンマルチツール。
【請求項２６】
前記モータから前記ファンを切り離す捕集器インタフェースをさらに備え、それによって、前記ファンが、前記マルチツールハウジングに空気を引き入れるために回転しない、請求項２１に記載のスクリューガンマルチツール。
【請求項２７】
前記捕集器インタフェースが、前記駆動軸の長さに沿って前記ファンを移動させて、前記駆動軸に結合された駆動ギヤから前記ファンを切り離す、請求項２６に記載のスクリューガンマルチツール。
【請求項２８】
前記捕集器インタフェースが、前記ファンの回転を防ぐために、前記ファンに影響を与える、請求項２６に記載のスクリューガンマルチツール。
【請求項２９】
前記スクリューガン端部に取り付けられたスタッドファインダーをさらに備える、請求項１９に記載のスクリューガンマルチツール。
【国際調査報告】
2019533582.tif 000019